(57)【要約】【課題】従来よりも省エネ効果の高い、廉価な省エネ栽培施設を提供する。【解決手段】本発明は、上記の課題を解決するために、施設内部の空気を暖め外部に排気を排出する燃料燃焼式の第一暖房装置を備える栽培施設において、前記栽培施設の外部の空気を暖め前記栽培施設内に温風として送風する第二暖房装置を備えることを特徴とする省エネ栽培施設、また前記第二暖房装置による前記省エネ栽培施設内への温風の送風量が、前記第一暖房装置によって外部に排出される施設内部の空気量以上、例えば、１．３倍以上とし、前記省エネ栽培施設内を陽圧とすることを特徴とする省エネ栽培施設の構成とした。【選択図】図１
2015146738.tif 000002
【特許請求の範囲】
【請求項１】
施設内部の空気を暖め外部に排気を排出する燃料燃焼式の第一暖房装置を備える栽培施設において、
前記栽培施設の外部の空気を暖め前記栽培施設内に温風として送風する第二暖房装置を備えることを特徴とする省エネ栽培施設。
【請求項２】
前記第二暖房装置による前記省エネ栽培施設内への温風の送風量が、前記第一暖房装置によって外部に排出される施設内部の空気量以上とし、前記省エネ栽培施設内を陽圧とすることを特徴とする請求項１に記載の省エネ栽培施設。
【請求項３】
前記第二暖房装置による前記省エネ栽培施設内への温風の送風量が、前記第一暖房装置によって外部に排出される施設内部の空気量の１．３倍以上であることを特徴とする請求項１又は請求項２に記載の省エネ栽培施設。
【発明の詳細な説明】
【技術分野】
【０００１】
本発明は、施設内部の空気を暖め外部に排気を排出する燃料燃焼式の第一暖房装置を備える栽培施設内に、暖めた外気を取り入れる省エネ栽培施設、農作物の省エネ栽培方法に関する。
【背景技術】
【０００２】
ビニールハウス、木造、鉄筋建てなど栽培施設（以下、単に「施設」ともいうこともある）では、野菜、キノコ、果物、花などの農作物の栽培などを行う。
【０００３】
従来、図３に示すように、栽培施設１１は、冬場などの外気温が低い時期には、栽培施設１１内に暖房機（第一暖房装置３の燃焼部３ａ）を設置し、直接施設内を暖めていた。
【０００４】
しかし、従来のような栽培施設１１内の暖房方法では、栽培施設１１内の空気（吸気３ｃ）を使って重油等の燃料を燃焼部３ａで燃焼させ、第一暖房装置３の燃焼により発生した熱を温風３ｄとして施設内に送風し、排気３ｅはパイプ３ｂを介して施設外に排出しているため、施設内の気圧が下がり、それにより施設の隙間等から冷たい外気（隙間風１１ａ）が侵入していた。
【０００５】
特に、栽培施設の建物２がビニールハウスである場合には、図３に示すように、栽培施設１１の内部が陰圧になり、本来、破線で示したように垂直の側壁２ｂは、施設内の内側に湾曲した状態の側壁２ｃとなる。そして、側壁２ｃには隙間が多くあるため、隙間風１１ａも多量に施設内部に流入していた。
【０００６】
そのため、施設内を暖める時間がかかると共に一定温度を維持するために多くの燃料を要して、経済的でなかった。そして、栽培施設内の側壁側の作物の生育が悪かった。
【０００７】
他方、発明者は、特許文献１に掲載の考案を開発した。特許文献１の考案は、第一暖房装置３の燃焼用の吸気３ｃを施設外部の空気（外気）としたものである。一定の省エネ効果はあるものの燃料費高騰の昨今、さらなる省エネ効果の高い栽培施設の暖房方式の開発が望まれていた。
【先行技術文献】
【特許文献】
【０００８】
【特許文献１】実用新案登録第３１４７５８３号公報
【発明の概要】
【発明が解決しようとする課題】
【０００９】
そこで、本発明は、従来よりも省エネ効果の高い、廉価な省エネ栽培施設を提供することを目的とする。
【課題を解決するための手段】
【００１０】
本発明は、上記の課題を解決するために、従来通り、第一暖房装置は施設内の空気を燃焼に使用し、第二暖房装置で施設内の圧力調節のため、外気を暖め施設内に送風することで施設内を陽圧にして隙間風を抑え、一層の省エネ化を実現することができた。
即ち、
（１）
施設内部の空気を暖め外部に排気を排出する燃料燃焼式の第一暖房装置を備える栽培施設において、
前記栽培施設の外部の空気を暖め前記栽培施設内に温風として送風する第二暖房装置を備えることを特徴とする省エネ栽培施設の構成とした。
（２）
前記第二暖房装置による前記省エネ栽培施設内への温風の送風量が、前記第一暖房装置によって外部に排出される施設内部の空気量以上とし、前記省エネ栽培施設内を陽圧とすることを特徴とする（１）に記載の省エネ栽培施設の構成とした。
（３）
前記第二暖房装置による前記省エネ栽培施設内への温風の送風量が、前記第一暖房装置によって外部に排出される施設内部の空気量の１．３倍以上であることを特徴とする（１）又は（２）に記載の省エネ栽培施設の構成とした。
【発明の効果】
【００１１】
本発明は上記の構成であるため、従来よりも少ない燃料で栽培施設内の暖房が可能になる。施設内を陽圧にすることで、隙間風が抑えられ、施設の側面側の作物の生育も良くなる。
【図面の簡単な説明】
【００１２】
【図１】本発明である省エネ栽培施設の斜視模式図である。
【図２】本発明である省エネ栽培施設の第二の実施形態の斜視模式図である。
【図３】従来の栽培施設での暖房時の斜視模式図である。
【発明を実施するための形態】
【００１３】
以下、添付の図面を参照し、本発明の実施の形態について詳細に説明する。なお、本発明は下記実施例に限定されるものではない。
【実施例１】
【００１４】
図１は、本発明の一例である省エネ栽培施設の斜視模式図である。省エネ栽培施設１は、建物２と、第一暖房装置３と、第二暖房装置４とからなる。建物２は、従来と同様で、内部で、農作物の栽培が行われる。
【００１５】
第一暖房装置３は、燃焼部３ａとパイプ３ｂからなる。
【００１６】
燃焼部３は、建物２の内部に設置され、施設内部の空気（吸気３ｃ）を利用して燃料を燃焼させ、燃焼により発生した熱を温風３ｄとして建物内に送風する。排気３ｅは、建物２外に排出する。
【００１７】
パイプ３ｂは、燃焼部３ａの排気口と連結し、建物２の外部に先端が位置し、燃焼部３ａにおいて燃料の燃焼により発生した排気３ｅを建物２の外に排出する排出路である。排気３ｅを排出しているだけであれば、施設内部の気圧は下がることになる。
【００１８】
第二暖房装置４は、本体４ａとパイプ４ｂとからなる。
【００１９】
本体４ａは、建物２の外部に設置され、施設外の空気（吸気４ｃ）を暖め、温風４ｄとして建物２の内部に強制的に送風する。例えば、本体４ａとして、ガスバーナーなどの燃料燃焼式、ヒートポンプなどが例示できる。燃料燃焼式の場合には、排気４ｅは外部に排出される。電気式の暖房機の場合には、送風機によりパイプ４ｂを通して、温風４ｄを建物２の内部に送風する。なお、第一暖房装置３の排気３ｅ（排熱）を利用して、吸気４ｃ／及び温風４ｄを加温してもよい。例えば、第一暖房装置３の排気３ｅ（排熱）を第二暖房装置４の吸気４ｃを取り込む配管（図示省略）の周囲を巡らすなどにより熱交換させる方法が例示できる。逆に、吸気４ｃを第一暖房装置３のパイプ３ｂの周り或いは中を通し、第一暖房装置３の排熱と熱交換した上で、本体４ａで加熱する方法もある。
【００２０】
温風４ｄの送風量は、第一暖房装置３によって外部に排出される内部空気量以上で、建物２内部の気圧を陰圧にならないレベルとすること、より好ましくは施設内が陽圧の範囲とし、さらに好ましくは例えば１．３倍以上であることが好ましい。
【００２１】
このような温風４ｄの送風量であれば、側壁は建物２の外側に湾曲した側壁２ａとなり、隙間風１１ａの建物２の内部への流入が劇的に低減される。その結果、燃料の使用量が従来に比べ減り、従来に比べ栽培施設の一層の省エネ暖房が可能になる。
【００２２】
そして、第二暖房装置４に燃料を使用した場合でも省エネになる。特許文献１のように、外気で燃焼の燃焼をする場合より、排気される施設内の空気量を補う外気を暖房するだけであるので、第一暖房装置３と第二暖房装置４との使用燃料総量は、特許文献１の使用燃料総量より抑えることができる。実施例２においても同様である。
【００２３】
さらに、第一暖房装置３の排熱により第二暖房装置４の吸気４ｃを加温することで、省エネ効果が一層高まる。ただし、第二暖房装置４の暖房手段によって、省エネ度合いが異なる。ヒートポンプも省エネ効果が高い。
【００２４】
パイプ４ｂは、本体４ａで発生した熱の吐出口に連結し、建物２の内部に先端が位置し、本体４ａにおいて燃料の燃焼により発生した熱を建物２の内に送風する送風路である。第一暖房装置３の排気３ｅを建物２の外に排出しているだけであれば、施設内部の気圧は下がることになるが、建物２の外部の外気による温風４ｄを施設内に導入することで、施設内の気圧を陰圧にすることがない。
【００２５】
このように、従来の第一暖房装置３と切り離して、第二暖房装置４を設けることにより、本発明は実現できるため、極めて廉価に、省エネ栽培施設１を稼働させることができる。
【実施例２】
【００２６】
図２は、本発明の第二の実施形態である省エネ栽培施設の斜視模式図である。省エネ栽培施設１ａは、建物２と、第一暖房装置３と、第二暖房装置５とからなる。実施例１と同一の名称、符号は、同一の構造、機能であるので、その説明を省略する。
【００２７】
第二暖房装置５は、本体５ａとパイプ５ｂとからなる。
【００２８】
本体５ａは、建物２の内部に設置され、施設外の空気（吸気５ｃ）を暖め、温風５ｄとして建物２の内部に強制的に送風する。例えば、本体５ａとして、エアーコンディショナー、ガスバーナーなどの燃料燃焼式、ヒートポンプなどが例示できる。燃料燃焼式の場合には、排気５ｅは外部に排出される。電気式の暖房機の場合には、送風機によりパイプ５ｂを通して、外気を取り込み温風５ｄとして建物２の内部に送風する。なお、第一暖房装置３の排気３ｅ（排熱）を利用して、吸気５ｃ又は／及び温風５ｄを加温してもよい。例えば、第一暖房装置３の排気３ｅ（排熱）を第二暖房装置５のパイプ５ｂの周囲を巡らすなどにより熱交換させる方法が例示できる。逆に、吸気５ｃを第一暖房装置３のパイプ３ｂの周り或いは中を通し、第一暖房装置３の排熱と熱交換した上で、本体５ａで加熱する方法もある。
【００２９】
温風５ｄの送風量は、第一暖房装置３によって外部に排出される内部空気量以上で、建物２内部の気圧を陰圧にならないレベルとすること、例えば１．３倍以上であることが好ましい。
【００３０】
このような温風５ｄの送風量であれば、側壁は建物２の外側に湾曲した側壁２ａとなり、隙間風１１ａの建物２の内部への流入が劇的に低減される。その結果、燃料の使用量が従来に比べ減り、従来に比べ栽培施設の一層の省エネ暖房が可能になる。そして、第二暖房装置５に燃料を使用した場合でも省エネになる。
【００３１】
さらに、第一暖房装置３の排熱により第二暖房装置５の吸気５ｃを加温することで、省エネ効果が一層高まる。ただし、第二暖房装置５の暖房手段によって、省エネ度合いが異なる。ヒートポンプも省エネ効果が高い。
【００３２】
パイプ５ｂは、本体５ａの吸気口に連結し、建物２の外部に先端が位置し、本体５ａの発熱部内に外気を吸気５ｃとして送る送風路である。第一暖房装置３の排気３ｅを建物２の外に排出しているだけであれば、施設内部の気圧は下がることになるが、建物２の外部の外気による温風５ｄを施設内に導入することで、施設内の気圧は陰圧になることがない。
【００３３】
このように、従来の第一暖房装置３と切り離して、第二暖房装置５を設けることにより、本発明は実現できるため、極めて廉価に、省エネ栽培施設１ａを稼働させることができる。
【符号の説明】
【００３４】
１      省エネ栽培施設
１ａ    省エネ栽培施設
２      建物
２ａ    側壁
２ｂ    側壁
２ｃ    側壁
３      第一暖房装置
３ａ    燃焼部
３ｂ    パイプ
３ｃ    吸気
３ｄ    温風
３ｅ    排気
４      第二暖房装置
４ａ    本体
４ｂ    パイプ
４ｃ    吸気
４ｄ    温風
４ｅ    排気
５      第二暖房装置
５ａ    本体
５ｂ    パイプ
５ｃ    吸気
５ｄ    温風
５ｅ    排気
１１    栽培施設
１１ａ  隙間風
【図１】
2015146738.tif 000003
【図２】
2015146738.tif 000004
【図３】
2015146738.tif 000005